(57)【要約】      （修正有）【課題】着脱可能な球払出装置が誤操作によって取り外されないようにしたパチンコ機を提供する。【解決手段】球通路ユニット２２と球払出装置２３との間に解除スペースを確保すると共に、この解除スペースに対して連通孔２６ａを有するロックレバー２６が挿入／離脱可能となっており、解除スペースの内部にロックレバー２６が挿入されていないと、球払出装置２３は解除スペースを利用して機器本体の取付面に着脱可能となっているが、解除スペースの内部にロックレバー２６が挿入されることで球払出装置２３の解除スペースへの移動が阻止された状態となる。そして、この状態で球通路ユニット２２と球払出装置２３が連通孔２６ａを介して連通されるため、ロックレバー２６は連通孔２６ａ内に残留する遊技球によってロック位置に維持される。【選択図】図４
2017018480.tif 000002
【特許請求の範囲】
【請求項１】
遊技機本体の背面上部に設けられた貯留タンクと、この貯留タンクに貯留された遊技球を上方から下方へ流下させる球通路ユニットと、この球通路ユニットの下端に連設された球払出装置とを備え、前記球払出装置が入賞部への入賞に応じて所定数の遊技球を払い出すように構成されたパチンコ機において、
前記遊技機本体の背面に前記球払出装置と係脱可能な係合部が設けられていると共に、この係合部に係止された前記球払出装置の上面と前記球通路ユニットの下面との間に、前記球払出装置と前記係合部の係止状態を解除する方向の動きを許可する解除スペースが確保されており、
連通孔が設けられたロックレバーを前記解除スペースの内部に挿入することにより、前記球通路ユニットの下端出口が前記連通孔を介して前記球払出装置の上端入口に連通されると共に、前記連通孔内を通過する遊技球によって前記ロックレバーの前記解除スペースからの離脱が阻止されることを特徴とするパチンコ機。
【請求項２】
請求項１の記載において、前記遊技機本体の背面に前記球通路ユニットと係脱可能な別の係合部が設けられており、前記解除スペースによって前記球通路ユニットと前記別の係合部との係止状態を解除する方向の動きが許容されると共に、前記解除スペースの内部に挿入された前記ロックレバーによって前記球通路ユニットと前記別の係合部との係止状態を解除する方向の動きが阻止されることを特徴とするパチンコ機。
【請求項３】
請求項１または２の記載において、前記ロックレバーが前記球通路ユニットの下端部と前記球払出装置の上端部のいずれか一方に回転可能に支持されていることを特徴とするパチンコ機。
【請求項４】
請求項１〜３のいずれか１項の記載において、前記連通孔の長さ寸法が遊技球１個分の直径よりも短く設定されていることを特徴とするパチンコ機。
【発明の詳細な説明】
【技術分野】
【０００１】
本発明は、遊技機本体の背面に球払出装置が着脱自在に装着されるパチンコ機に関するものである。
【背景技術】
【０００２】
一般的にパチンコ機は、遊技場の島設備に設置される縦長方形状の外枠と、この外枠にヒンジ部を介して開閉可能に取り付けられた機器本体と、この機器本体に設置された遊技盤と、機器本体の前面に別のヒンジ部を介して開閉可能に取り付けられたガラス扉とを備えており、ガラス扉の中央部に開設された窓孔には遊技盤の遊技領域を目視可能な透明板が取り付けられている。遊技盤には入賞口や演出表示装置等が設けられており、機器本体の背面には遊技に関する制御を行う制御処理装置等が設けられている。
【０００３】
また、機器本体の背面上部には遊技場の島設備から供給される遊技球を貯留するための貯留タンクが設けられており、貯留タンクに貯留された遊技球は所定の経路を通って球通路ユニットに誘導される。球通路ユニット内には遊技球を通過させるための蛇行した通路が設けられており、この通路に誘導されて球通路ユニット内を上方から下方へ流下した遊技球は球払出装置に導かれる。
【０００４】
球払出装置の内部には、ステッピングモータ等からなる球払出モータや、球払出モータの作動により所定数の遊技球を流下排出させる球送りロータ（スプロケット）や、排出経路を払出通路と球抜き通路のいずれかに切り替える切替機構等が組み込まれており、通常の遊技状態においては、球払出装置の払出通路から排出された遊技球が機器本体の前面に設けられた受け皿内に賞球として払い出される。一方、貯留タンクに貯留された遊技球をパチンコ機の外部に排出して回収する場合は、切替機構を作動させて球払出装置の排出経路を球抜き通路側へ切り替えることにより、球払出装置の球抜き通路から排出された遊技球が島設備に回収される。
【０００５】
通常、このような機能を有する球払出装置は、保守点検や修理・交換等が可能となるように、機器本体の背面に対して着脱可能に取り付けられている。例えば、特許文献１に記載されたパチンコ機は、球払出装置の外殻をなすハウジング部材の上端部に平面視コ字状の被覆壁を形成すると共に、ハウジング部材の下端部に左右一対のガイド溝を形成し、これらガイド溝を下通路部材の上端に形成した被ガイドに挿入しながらハウジング部材を機器本体の背面に押し付け、それに伴って被覆壁を上通路部材の下部に嵌め込むことにより、球払出装置を機器本体の背面に着脱可能に取り付けるようにしている。
【０００６】
このように構成されたパチンコ機では、球払出装置は前後方向と左右方向および上下方向に位置規制された状態で機器本体の背面に取り付けられるため、上通路部材に設けられた整流通路が球払出装置の上端側の受容口に連通されると共に、下通路部材に設けられた排出経路と球抜き通路がそれぞれ球払出装置の下端側の払出口と球抜き口に連通される。そして、球払出装置を機器本体の背面に取り付けた後、上通路部材に設けた係止レバーをスライド操作してハウジング部材の前面上部に係合させると共に、下通路部材に設けた別の係止レバーを回動操作してハウジング部材の前面下部に係合させることにより、球払出装置は機器本体からの脱落が防止されるようになっている。
【先行技術文献】
【特許文献】
【０００７】
【特許文献１】特許第４９１５７５７号公報
【発明の概要】
【発明が解決しようとする課題】
【０００８】
パチンコ機においては、遊技中に発生した球詰まり等を解消するために作業者が機器本体を開放することがあるが、特許文献１に開示された従来技術では、係止レバーをハウジング部材の前面に当接させることで球払出装置の脱落を防止しているため、作業者が不用意に係止レバーを誤操作してしまう虞がある。その場合、係止レバーとハウジング部材との係止状態が解除され、球払出装置は前後方向に自由に移動できる状態となるため、上通路部材の整流通路に対する球払出装置の受容口の位置がずれてしまい、貯留タンクから上通路部材まで到達した遊技球が球払出装置まで導かれなくなってしまう。
【０００９】
本発明は、このような従来技術の実情に鑑みてなされたもので、その目的は、着脱可能な球払出装置が誤操作によって取り外されないようにしたパチンコ機を提供することにある。
【課題を解決するための手段】
【００１０】
上記の目的を達成するために、本発明のパチンコ機は、遊技機本体の背面上部に設けられた貯留タンクと、この貯留タンクに貯留された遊技球を上方から下方へ流下させる球通路ユニットと、この球通路ユニットの下端に連設された球払出装置とを備え、前記球払出装置が入賞部への入賞に応じて所定数の遊技球を払い出すように構成されたパチンコ機において、前記遊技機本体の背面に前記球払出装置と係脱可能な係合部が設けられていると共に、この係合部に係止された前記球払出装置の上面と前記球通路ユニットの下面との間に、前記球払出装置と前記係合部の係止状態を解除する方向の動きを許可する解除スペースが確保されており、連通孔が設けられたロックレバーを前記解除スペースの内部に挿入することにより、前記球通路ユニットの下端出口が前記連通孔を介して前記球払出装置の上端入口に連通されると共に、前記連通孔内を通過する遊技球によって前記ロックレバーの前記解除スペースからの離脱が阻止されるようにした。
【００１１】
このように構成されたパチンコ機では、球通路ユニットの下方に解除スペースが確保されている場合、すなわち、解除スペースの内部にロックレバーが挿入されていないとき、球払出装置は解除スペースを利用して遊技機本体の所定位置に着脱可能となっているが、解除スペースの内部にロックレバーが挿入されている場合、ロックレバーによって球払出装置と係合部の係止状態を解除する方向の動きが阻止された状態となる。そして、この状態において球通路ユニットの下端出口と球払出装置の上端入口がロックレバーの連通孔を介して連通されるため、ロックレバーは連通孔内に残留する遊技球によってロック位置に維持され、ロックレバーを解除スペースから離脱させることはできなくなる。
【００１２】
なお、球払出装置を遊技機本体の所定位置から取り外す場合は、球払出装置の作動によって排出経路を球抜き通路側へ切り替えると、貯留タンクに貯留された遊技球が球抜き通路を通ってパチンコ機の外部に排出され、それに伴ってロックレバーの連通孔内に遊技球が残留しなくなるため、ロックレバーを解除スペースから離脱させることが可能となる。その結果、球通路ユニットと球払出装置との間に解除スペースが確保され、この解除スペースによって球払出装置と係合部の係止状態を解除する方向の動きが許容されるため、球払出装置を遊技機本体の背面から取り外すことができる。
【００１３】
上記の構成において、遊技機本体の背面に球通路ユニットと係脱可能な別の係合部が設けられており、解除スペースによって球通路ユニットと別の係合部との係止状態を解除する方向の動きが許容されると共に、解除スペースの内部に挿入されたロックレバーによって球通路ユニットと別の係合部との係止状態を解除する方向の動きが阻止されるようになっていると、遊技機本体の背面に対して球払出装置と球通路ユニットの両方を着脱可能に取り付けることができると共に、これら球払出装置と球通路ユニットが誤操作によって不用意に取り外されてしまうことを防止できる。
【００１４】
また、上記の構成において、ロックレバーが球通路ユニットの下端部と球払出装置の上端部のいずれか一方に回転可能に支持されていると、球払出装置の取り付け／取り外し作業を容易に行うことができる。
【００１５】
また、上記の構成において、連通孔の長さ寸法が遊技球１個分の直径よりも短く設定されていると、必ず１個の遊技球がロックレバーから突出した状態で連通孔内に残留するため、ロックレバーをロック位置に確実に維持することができる。
【発明の効果】
【００１６】
本発明のパチンコ機によれば、着脱可能な球払出装置が誤操作によって取り外されてしまうことを確実に防止できる。
【図面の簡単な説明】
【００１７】
【図１】本発明の実施形態例に係るパチンコ機の斜視図である。
【図２】図１に示すパチンコ機のガラス扉を開放した状態を示す斜視図である。
【図３】該パチンコ機に備えられる機器本体の背面図である。
【図４】図３のＡ部拡大図である。
【図５】図３に示す機器本体に装着される球通路ユニットの正面図である。
【図６】該球通路ユニットの側面図である。
【図７】該球通路ユニットの裏面図である。
【図８】該球通路ユニットの底面図である。
【図９】図６のIX−IX線に沿う断面図である。
【図１０】該球通路ユニットに支持されたロックレバーの斜視図である。
【図１１】図３に示す機器本体に装着される球払出装置の正面図である。
【図１２】該球払出装置の裏面図である。
【図１３】該球払出装置の側面図である。
【図１４】図１３のXIV−XIV線に沿う断面図である。
【図１５】球通路ユニットを機器本体に取り付ける手順を示す斜視図である。
【図１６】球払出装置を機器本体に取り付ける手順を示す斜視図である。
【発明を実施するための形態】
【００１８】
発明の実施の形態について図面を参照して説明すると、図１に示すように、本発明の実施形態例に係るパチンコ機は、遊技場の島設備に設置される縦長方形状の外枠１と、外枠１に扉状に開閉自在に取り付けられた機器本体２と、機器本体２の前面に扉状に開閉自在に取り付けられたガラス扉３等を備えており、ガラス扉３にはガラスやプラスチック等からなる透明板４が取り付けられている。
【００１９】
外枠１の左側枠部には上側軸受け体５と下側軸受け体６が固着されており、これら一対の軸受け体５，６に機器本体２の左側枠部に設けられた上下のピン（図示せず）が軸支されることにより、機器本体２は外枠１に対して開閉自在となっている。
【００２０】
機器本体２の左側枠部には上側ヒンジ板７と下側ヒンジ板８が設けられており、図示せぬが、上側ヒンジ板７には取付孔が形成されると共に、下側ヒンジ板８には支軸が立設されている。そして、ガラス扉３の左側枠部の上部に設けた取付ピンを上側ヒンジ板７の取付孔に挿入すると共に、ガラス扉３の左側枠部の下面に設けた軸孔を下側ヒンジ板８の支軸に挿入することにより、ガラス扉３は機器本体２に対して開閉自在となっている。
【００２１】
機器本体２の上部内側には遊技盤９が収納されており、この遊技盤９の盤面（前面）はガラス扉３の透明板４を透して目視可能となっている。図２に示すように、遊技盤９はガイドレール１０等によって区画形成された遊技領域１１を有しており、この遊技領域１１の中央部には遊技の演出を表示する液晶表示ユニット１２が配設されている。詳細な説明は省略するが、遊技領域１１にはそれ以外にも始動入賞口、一般入賞口、アタッカー装置、遊技釘、風車、アウト口等が設けられている。また、遊技盤９よりも下方の機器本体２はガラス扉３によって覆い隠される設置部２ａとなっており、この設置部２ａにはスピーカ１３や発射装置１４等が配設されている。
【００２２】
機器本体２の右側枠部にはシリンダ錠１５ａを有する施錠装置１５が設置されており、図示せぬが、この施錠装置１５は機器本体２の裏面に配置された後部施錠杆と機器本体２の前面に配置された前部施錠杆とを備えている。常態では、施錠装置１５の後部施錠杆により外枠１に対して機器本体２が施錠されると共に、前部施錠杆により機器本体２に対してガラス扉３が施錠されている。そして、シリンダ錠１５ａの鍵穴に図示せぬ鍵を差し込み、この鍵を一方向（例えば時計回り）へ回動すると、後部施錠杆が上動して機器本体２が開錠されるようになっている。また、シリンダ錠１５ａの鍵穴に差し込んだ鍵を他方向（反時計回り）へ回動すると、前部施錠杆が上動してガラス扉３が開錠されるようになっている。
【００２３】
図１に示すように、ガラス扉３には遊技盤９の盤面に対向する大きな窓孔３ａが開設されており、この窓孔３ａは透明板４によって塞がれている。ガラス扉３前面下部には、遊技盤９の裏面に配設された球払出装置２３（図３参照）から払い出された遊技球を収容する上段受皿１６と、上段受皿１６から排出された遊技球を収容する下段受皿１７と、遊技者による押下および回転操作が可能な演出操作ユニット１８とが設けられており、下段受皿１８の斜め右下方には発射装置１４の発射強度を調整するための操作ハンドル１９が配設されている。さらに、下段受皿１８の斜め右上方にはスピーカ１３の音を放射するグリル部３ｂが設けられており、このスピーカ１３によって遊技に関する様々な効果音を発するようになっている。
【００２４】
図３に示すように、機器本体２の背面側には、遊技場の島設備から供給される多数の遊技球を貯留可能な貯留タンク２０と、貯留タンク２０から排出された遊技球を一列に整列させて斜め下方へ誘導する樋状部材２１と、樋状部材２１から吐出された遊技球を上方から下方へ流下させる球通路ユニット２２と、球通路ユニット２２の下端に連続する球払出装置２３等が設けられている。詳細な説明は省略するが、それ以外にも機器本体２の背面側には、遊技に関する主要な処理を行う主制御基板や、主制御基板からの指令を受けて液晶表示ユニット１２やスピーカ１３等の各種装置を制御する副制御基板、主制御基板からの指令を受けて球払出装置２３を制御する払出制御基板、操作ハンドル１９の回動量に応じて発射装置１４の作動を制御する発射制御基板等が設けられており、そのうちのいくつかは開閉可能な裏カバー２４によって覆われている。
【００２５】
球通路ユニット２２は機器本体２に対して着脱可能な直方体形状の部材であり、図５〜図９に示すように、この球通路ユニット２２の内部には蛇行した誘導通路２５が設けられている。誘導通路２５の上端入口は樋状部材２１の吐出口に連通するようになっており、誘導通路２５の下端出口は後述する解除スペースＳを介して球払出装置２３の上端入口と対向するようになっている。球通路ユニット２２の上端と裏面側（機器本体２の背面に対峙する面）にはそれぞれ係合突起２２ａ，２２ｂ，２２ｃが設けられており、後述するように、これら係合突起２２ａ，２２ｂ，２２ｃが機器本体２の背面側に設けられた第１係合部に対して係脱可能となっている。
【００２６】
球通路ユニット２２の下面にはロックレバー２６が回転可能に支持されており、このロックレバー２６はネジ２７を用いて球通路ユニット２２に取り付けられている。図１０に示すように、ロックレバー２６の平板部には連通孔２６ａが設けられており、ロックレバー２６が球通路ユニット２２の下面と重なる位置まで回転操作されると、連通孔２６ａが球通路ユニット２２に設けられた誘導通路２５の下端出口と連通するようになっている。なお、ロックレバー２６の平板部の厚み寸法とその平板部に設けられた連通孔２６ａの長さ（深さ）寸法は、遊技球１個分の直径よりも短く設定されている。また、ロックレバー２６の回転中心と反対側の端部には指掛部２６ｂが設けられており、球通路ユニット２２の下端部には指掛部２６ｂを収容可能な切欠き２２ｄが形成されている。
【００２７】
球払出装置２３は機器本体２に対して着脱可能な箱型形状の部材であり、図１１〜図１４に示すように、この球払出装置２３の内部には払出通路２８ａと球抜き通路２８ｂに分岐された排出通路２８が設けられている。球払出装置２３の裏面側における上下３箇所には係合突起２３ａが設けられており、後述するように、これら係合突起２３ａが機器本体２の背面側に設けられた第２係合部に対して係脱可能となっている。
【００２８】
詳細な構成は図示省略されているが、球払出装置２３の内部には、球払出モータや、球払出モータの作動により所定数の遊技球を流下排出させる球送りロータ（スプロケット）や、排出通路２８の上端入口から入った遊技球を払出通路２８ａと球抜き通路２８ｂに切り替える切替機構等が組み込まれており、通常の遊技状態においては、払出通路２８ａを通過した遊技球が上段受皿１６内に賞球として払い出される。また、切替機構を作動させて排出経路を球抜き通路２８ｂ側へ切り替えると、排出通路２８に入った遊技球は球抜き通路２８ｂを通って回収球としてパチンコ機の外部に排出される。
【００２９】
次に、このように構成された球通路ユニット２２と球払出装置２３を機器本体２の裏面に取り付ける作業手順について図１５と図１６を参照しつつ説明する。なお、以下の説明では、機器本体２を背面側から見たときの方向を前後、左右および上下方向とし、これらの方向を図中に矢印で示してある。
【００３０】
図１５に示すように、機器本体２の裏面側における右側部は球通路ユニット２２と球払出装置２３が組み付けられる取付面となっており、この取付面の上部領域に前述した第１係合部が設けられている。この第１係合部は、下面に開口部を有する２つの係合孔部２９ａ，２９ｂと、下端に突出部を有する片持ち梁状の係合受片２９ｃとによって構成されており、係合受片２９ｃは上端部を支点として前後方向へ揺動可能となっている。また、取付面の下部領域に前述した第２係合部が設けられており、この第２係合部は上面に開口部を有する３つの係合孔部３０ａによって構成されている。
【００３１】
まず、図１５に示すように、球通路ユニット２２を機器本体２の取付面に対して斜め上方へ押し込むことにより、球通路ユニット２２の２つの係合突起２２ａ，２２ｂを機器本体２の対応する係合孔部２９ａ，２９ｂに挿入すると共に、残り１つの係合突起２２ｃを係合受片２９ｃの突出部に係合させる。その結果、図１６に示すように、球通路ユニット２２は機器本体２に仮保持されて下方への移動が規制された状態となり、球通路ユニット２２に設けられた誘導通路２５の上端入口が樋状部材２１の吐出口と連通する。その際、ロックレバー２６も球通路ユニット２２と一緒に機器本体２に仮保持されるが、この時点でロックレバー２６は必ずしも球通路ユニット２２の下面に重なっていなくても良い。
【００３２】
このようにして球通路ユニット２２を機器本体２に仮保持させた後、図１６に示すように、球払出装置２３を球通路ユニット２２の下方位置で機器本体２の取付面に取り付けるが、その前にロックレバー２６を図の矢印Ｐ１方向へ回転操作して球通路ユニット２２の下方に解除スペースＳを確保しておく。そして、この状態で球払出装置２３の上端を解除スペースＳ内に挿入して下方へスライド移動すると、球払出装置２３の３つの係合突起２３ａが機器本体２の対応する係合孔部３０ａに嵌め込まれるため、球通路ユニット２２と球払出装置２３の両方が機器本体２に仮保持された状態となる。ただし、かかる仮保持状態の球払出装置２３は解除スペースＳの範囲内で上方へ移動することが可能であるため、球通路ユニット２２の下方に解除スペースＳが確保されていれば、係合突起２３ａと係合孔部３０ａの係止状態を解除して球払出装置２３を取り外すことができる。
【００３３】
しかる後、ロックレバー２６を図１６の矢印Ｐ２方向へ回転操作して、ロックレバー２６の平板部を球通路ユニット２２と球払出装置２３との間に確保された解除スペースＳの内部に挿入すると、ロックレバー２６の連通孔２６ａが球通路ユニット２２の誘導通路２５に連通されると共に、この連通孔２６ａが球払出装置２３の排出通路２８の上端に連通されることになる。その結果、解除スペースＳの内部にロックレバー２６が挿入されているかぎり、球払出装置２３を上方へ移動して係合突起２３ａと係合孔部３０ａの係止状態を解除することができなくなると共に、球通路ユニット２２を下方へ移動して係合突起２２ａ，２２ｂと係合孔部２９ａ，２９ｂの係止状態を解除することができなくなる。
【００３４】
そして、通常のパチンコ機の使用状態においては、図３に示すように、貯留タンク２０から排出された多数の遊技球が樋状部材２１と球通路ユニット２２の誘導通路２５およびロックレバー２６の連通孔２６ａを経て球払出装置２３の払出通路２８ａまで導かれているため、ロックレバー２６は連通孔２６ａ内に残留する遊技球によってロック位置に維持される。ここで、図４に示すように、連通孔２６ａの長さ寸法は遊技球１個分の直径よりも短く設定されているため、連通孔２６ａ内で残留する遊技球の位置を厳密に規定しなくても、必ず１個の遊技球がロックレバー２６から上下方向に突出した状態で連通孔２６ａ内に残留することになり、その残留球によってロックレバー２６はロック位置に確実に維持される。したがって、作業者が不用意にロックレバー２６を回転操作させようとしても、ロックレバー２６を解除スペースＳから離脱させることはできず、球払出装置２３と球通路ユニット２２は両方共に機器本体２の取付面から取り外すことができなくなる。
【００３５】
なお、球払出装置２３を保守点検や修理・交換等のために機器本体２の取付面から取り外す場合は、まず、球払出装置２３に付設された図示せぬスイッチを投入して切替機構を作動させることにより、球払出装置２３の排出通路２８を払出通路２８ａから球抜き通路２８ｂ側へと切り替える。これにより、貯留タンク２０内に貯留された多数の遊技球は、樋状部材２１と球通路ユニット２２の誘導通路２５およびロックレバー２６の連通孔２６ａを通過した後、球払出装置２３の球抜き通路２８ｂを通ってパチンコ機の外部に回収球として排出される。
【００３６】
その結果、ロックレバー２６の回転を阻止していた連通孔２６ａ内の残留球がなくなるため、作業者がロックレバー２６を回転操作して解除スペースＳから離脱させれば、球払出装置２３は解除スペースＳの範囲内で上方へ移動可能となり、それに伴って係合突起２３ａと係合孔部３０ａの係止状態を解除して球払出装置２３を取り外すことができる。
【００３７】
また、球通路ユニット２２を保守点検や修理・交換等のために機器本体２の取付面から取り外す場合は、上述したようにロックレバー２６を解除スペースＳから離脱する方向へ回転操作して、球払出装置２３を機器本た２の取付面から取り外した後、球通路ユニット２２の下端部を手前に引いて係合突起２２ｃと係合受片２９ｃの係合を解除してから下方へ移動すれば、係合突起２２ａ，２２ｂと係合孔部２９ａ，２９ｂの係止状態が解除されて球通路ユニット２２を取り外すことができる。
【００３８】
以上説明したように、本実施形態例に係るパチンコ機では、球通路ユニット２２と球払出装置２３との間に解除スペースＳを確保すると共に、この解除スペースＳに対して連通孔２６ａを有するロックレバー２６が挿入／離脱可能となっており、解除スペースＳの内部にロックレバー２６が挿入されていないときだけ、球払出装置２３は解除スペースＳを利用して機器本体２の取付面に着脱可能となっているが、解除スペースＳの内部にロックレバー２６が挿入されているときは、ロックレバー２６によって球払出装置２３の解除スペースＳへの移動（上動）が阻止された状態となっている。そして、この状態において球通路ユニット２２の誘導通路２５と球払出装置２３の排出通路２８とがロックレバー２６の連通孔２６ａを介して連通されるため、ロックレバー２６は連通孔２６ａ内に残留する遊技球によってロック位置に維持され、ロックレバー２６を解除スペースＳから離脱させることができなくなる。したがって、作業者がロックレバー２６を不注意により回転させてしまったり、機器本体２の背面側に引き回されたワイヤーハーネスがロックレバー２６に引っ掛かって回転させてしまう等、球払出装置２３がロックレバー２６の誤操作によって取り外されてしまうことを確実に防止できる。
【００３９】
また、球通路ユニット２２が機器本体２に対して着脱可能となっており、解除スペースＳの内部にロックレバー２６が挿入されているときは、ロックレバー２６によって球通路ユニット２２の解除スペースＳへの移動（下動）が阻止されようになっているため、球払出装置２３だけでなく球通路ユニット２２も保守点検や修理・交換等を行うことができると共に、これら球払出装置２３と球通路ユニット２２が誤操作によって不用意に取り外されてしまうことを防止できる。
【００４０】
なお、上記実施形態例では、球通路ユニット２２と球払出装置２３が両方共に着脱可能となっているが、球通路ユニット２２については、ねじ止めやスナップ結合等の手段を用いて機器本体２に固定されたものであっても良い。
【００４１】
また、上記実施形態例では、ロックレバー２６が球通路ユニット２２の下面に回転可能に支持されているが、ロックレバー２６が支持される部材は球通路ユニット２２の代わりに球払出装置２３や機器本体２でも良く、また、ロックレバー２６を回転の代わりにスライド可能に支持するようにしても良く、要は、球通路ユニット２２と球払出装置２３との間に確保された解除スペースＳに対してロックレバー２６が挿入／離脱可能となっていれば良い。
【符号の説明】
【００４２】
１  外枠
２  機器本体（遊技機本体）
３  ガラス扉
９  遊技盤
１１  遊技領域
２０  貯留タンク
２１  樋状部材
２２  球通路ユニット
２２ａ，２２ｂ，２２ｃ  係合突起
２２ｄ  切欠き
２３  球通路ユニット
２３ａ  係合突起
２５  誘導通路
２６  ロックレバー
２６ａ  連通孔
２６ｂ  指掛部
２８  排出通路
２８ａ  払出通路
２８ｂ  球抜き通路
２９ａ，２９ｂ  係合孔部
２９ｃ  係合受片
３０ａ  係合孔部
Ｓ  解除スペース
【図１】
2017018480.tif 000003
【図２】
2017018480.tif 000004
【図３】
2017018480.tif 000005
【図４】
2017018480.tif 000006
【図５】
2017018480.tif 000007
【図６】
2017018480.tif 000008
【図７】
2017018480.tif 000009
【図８】
2017018480.tif 000010
【図９】
2017018480.tif 000011
【図１０】
2017018480.tif 000012
【図１１】
2017018480.tif 000013
【図１２】
2017018480.tif 000014
【図１３】
2017018480.tif 000015
【図１４】
2017018480.tif 000016
【図１５】
2017018480.tif 000017
【図１６】
2017018480.tif 000018